(57)【要約】  本発明の印刷スクリーンフレーム固定装置は、空気圧の供給によってピストンロッドが後退するときに引張部材の結合突起が印刷スクリーンユニットの支持フレームに対して引張力が解除されて印刷スクリーンユニットを交換することができ、空気圧の中断によって弾発スプリングが膨張してピストンロッドが前進するときに引張部材の結合突起が印刷スクリーンユニットの支持フレームに係止されて印刷スクリーンを引張させるように弾発力によって加圧した後、必要に応じて空気圧を用いて逆加圧することができる構造であるため、異物及び摩擦に起因する変形及び破損が生じることなく半永久的に使用することができるとともに、長期使用時に伸びてしまう印刷スクリーンの引張値の変化に合わせて足りない引張力を再調整することができる。【選択図】図４ａ
2021504186.tif 000002
【特許請求の範囲】
【請求項１】
引張作動部（１５０）を備えた多数の装着フレーム（１３０）と多数のコーナーピース（１４０）を用いて方形枠体の形状に製作されたフレーム固定手段（１２０）によって印刷スクリーンユニット（５）が交換または引張されるように構成された印刷スクリーンフレーム固定装置において、
前記引張作動部（１５０）は、
前記装着フレーム（１３０）の空洞（１３２）の内側側面と一定の距離を置いて結合されるように長さ方向に沿って一定間隔の隔壁（１５１ｂ）を挟んで多数の円筒ホール（１５１ａ）が形成されたシリンダチューブブロック（１５１）と、
前記多数の円筒ホール（１５１ａ）にそれぞれ緊密に挿入されて水平移動するようにヘッド部（１５２ａ）とロッド部（１５２ｂ）からなる多数のピストンロッド（１５２）と、
前記多数の円筒ホール（１５１ａ）の外側端にそれぞれ螺合され、前記ロッド部（１５２ｂ）が緊密に貫通して水平移動するように貫通ホール（１５３ａ）が形成された多数のロッドカバー（１５３）と、
前記多数の円筒ホール（１５１ａ）の内部でヘッド部（１５２ａ）とロッドカバー（１５３）との間にそれぞれ挟まれて円筒ホール（１５１ａ）の内側に向かって弾発力を加える多数の弾発スプリング（１５４）と、
前記空洞（１３２）に長さ方向に沿って長く挿入されて前記ロッド部（１５２ｂ）の外側端に同時に結合され、下面に形成された結合突起（１５５ａ）が空洞（１３２）の下部側の作動案内ホール（１３３）を介して突出して前記印刷スクリーンユニット（５）の支持フレーム（５ｂ）に対して結合または分離されるように水平方向にスライドされる多数の引張部材（１５５）とから構成されたことを特徴とする、印刷スクリーンフレーム固定装置。
【請求項２】
前記空洞（１３２）の底面には、前記作動案内ホール（１３３）から外側端に行くほど高さが低くなる傾斜面（１３６）が形成され、
前記多数の引張部材（１５５）の下面の端部には、引張部材（１５５）が２次加圧によって移動した後、前記空洞（１３２）側の傾斜面（１３６）と対応するように係合されて停止するように結合突起（１５５ａ）から外側端に行くほど高さが低くなる傾斜面（１５５ｂ）が形成されたことを特徴とする、請求項１に記載の印刷スクリーンフレーム固定装置。
【請求項３】
前記シリンダチューブブロック（１５１）は、
その内側側面から水平に一定の深さまで形成され、長さ方向に沿って一定間隔の隔壁（１５１ｂ）を挟んで設けられた前記多数の円筒ホール（１５１ａ）と、
前記隔壁（１５１ｂ）の内側端にそれぞれ形成され、前記コーナーピース（１４０）の第１空気注入口（１４２）を介して供給される空気が前記多数のピストンロッド（１５２）のヘッド部（１５２ａ）を解除方向に同時に押して後進するように通路を連結する空気加圧解除ホール（１５１ｃ）と、
前記隔壁（１５１ｂ）間の中間にそれぞれ形成され、前記コーナーピース（１４０）の第２空気注入口（１４４）を介して供給される空気が前記多数のピストンロッド（１５２）のヘッド部（１５２ａ）を加圧方向に同時に押して前進するように通路を連結する空気加圧ホール（１５１ｄ）と、を含むことを特徴とする、請求項１に記載の印刷スクリーンフレーム固定装置。
【請求項４】
前記空気加圧解除ホール（１５１ｃ）と空気加圧ホール（１５１ｄ）は、前記隔壁（１５１ｂ）から一定距離を維持しながら同じ高さ及び幅でそれぞれ形成されたことを特徴とする、請求項３に記載の印刷スクリーンフレーム固定装置。
【請求項５】
前記空気加圧解除ホール（１５１ｃ）は、前記ピストンロッド（１５２）のヘッド部（１５２ａ）を境界に区画された円筒ホール（１５１ａ）の内側空間に空気を供給しながら、前記空気加圧ホール（１５１ｄ）を通る空気と混合されないように構成されたことを特徴とする、請求項３に記載の印刷スクリーンフレーム固定装置。
【請求項６】
前記空気加圧ホール（１５１ｄ）は、前記ピストンロッド（１５２）のヘッド部（１５２ａ）を境界に区画された円筒ホール（１５１ａ）の外側空間に空気を供給しながら、前記空気加圧解除ホール（１５１ｃ）を通る空気と混合されないように構成されたことを特徴とする、請求項３に記載の印刷スクリーンフレーム固定装置。
【請求項７】
前記ロッド部（１５２ｂ）の端部から一定距離の外周面には、ピストンロッド（１５２）が解除方向に移動するときにロッドカバー（１５３）に係止されて前記弾発スプリング（１５４）が適正の圧力以上に圧縮されないように制御する停止突起が形成されたことを特徴とする、請求項１に記載の印刷スクリーンフレーム固定装置。
【請求項８】
前記空洞（１３２）の天井内側コーナーと底面外側コーナーには、引張作動部（１５０）が空洞（１３２）を介して長さ方向に沿って長く挿入されるときに係止されて位置固定されるように係止溝（１３４、１３５）がそれぞれ形成され、前記シリンダチューブブロック（１５１）の内側側面の上端コーナーと外側側面の下端には、前記空洞（１３２）側の係止溝（１３４、１３５）に対応するように係止されてシリンダチューブブロック（１５１）が位置固定されるように係止突起（１５１ｅ、１５１ｆ）がそれぞれ突出したことを特徴とする、請求項１に記載の印刷スクリーンフレーム固定装置。
【発明の詳細な説明】
【技術分野】
【０００１】
本発明は、印刷スクリーンフレーム固定装置に係り、より詳細には、弾発力と空気圧を利用したシリンダ方式の引張作動部によって印刷スクリーンを適正の圧力で引張するように再調整することができる印刷スクリーンフレーム固定装置に関する。
【背景技術】
【０００２】
一般に、印刷スクリーンユニットは、印刷孔パターンを形成する長方形の印刷スクリーンと、前記印刷スクリーンのエッジ部分のそれぞれのペアに対向するように連結部材を介して嵌合されて取り付けられる第１及び第２ペアのインターフェース部、及びそれぞれのインターフェース部を連結する第１乃至第４コーナーピースから構成される支持フレームとを含んでなる。
【０００３】
ここで、印刷スクリーンは、半導体製造技術で広く使用されるものであり、特に、表面実装技術においてプリント基板などにチップなどを装着するために半田クリーム塗布時または露光作業時などで使用される金属薄膜である。
【０００４】
印刷スクリーンは、メタルマスクまたはステンシルマスクとも呼ばれ、決められたパターンに従って微細な印刷孔が打孔されており、スクリーンプリンタ、露光装置、洗浄装置などの装備に設置されて使用され、他のパターンのものが要求されるときに随時交換されることもある。
【０００５】
印刷スクリーンは、支持フレームに取り付けられた状態で使用されるが、緩んだ部分があれば、印刷スクリーンがスキージによって引っ掛かれたときに印刷パターンの位置がずれたり、印刷パターンが歪んだりする。このような状況を回避するために、スクリーン印刷を行うときに引張力を印刷スクリーンに付与して印刷スクリーンに常に所定の引張力を与える必要があり、印刷スクリーンにおいて他のパターンのものが要求されるときに随時交換されるように着脱機能も必要である。
【０００６】
つまり、印刷スクリーンは、支持フレームを介してプリント基板用スクリーンプリンタなどの装備に取り付けられて使用されるものであり、定期的に交換及び洗浄が必要であるため、着脱が必要な昇降作動部と引張力が必要な引張作動部とを備えた固定装置が重要な要因として作用する。
【０００７】
そこで、本出願人によって提案された従来の韓国特許第１０−１６８５８９９号（２０１６年１２月７日）の印刷スクリーンフレーム固定装置は、図１及び図２に示すように、印刷スクリーンユニット５が、多数の装着フレーム３０と多数のコーナーピース４０を用いて方形枠体の形状に製作されたフレーム固定手段２０によって交換または引張されるように構成されている。
【０００８】
すなわち、前記多数の装着フレーム３０は、押出成形によって一定の長さに形成されたアルミニウム材質であって、その断面の上部高さの一側に空気圧供給ホール３２がそれぞれ長さ方向に沿って長く貫通形成され、その断面の中間高さに空洞３４がそれぞれ長さ方向に沿って長く貫通形成されている。
【０００９】
この時、前記空洞３４は、上下高さよりも左右幅が大きい矩形の形状に形成されたものであり、その底面の中央に前記装着フレーム３０の長さ方向に沿って長く作動案内ホール３６が形成され、その天井の中央に下端が前記空洞３４の底面と触れないように浮いており、前記作動案内ホール３６の中央に位置して内側空洞３４ａと外側空洞３４ｂに区画するように前記装着フレーム３０の長さ方向に沿って長く隔壁３８が形成され、前記内側空洞３４ａと外側空洞３４ｂにわたって引張作動部５０が設置されている。
【００１０】
前記引張作動部５０は、前記隔壁３８を挟んで内側空洞３４ａと外側空洞３４ｂとの両方に側面突起５２ａ、５２ｂがそれぞれ位置し、その下面の結合突起５２ｃが前記作動案内ホール３６を介して突出して前記印刷スクリーンユニット５の支持フレーム５ｂに対して結合または分離されるように水平方向にスライドされる多数の引張部材５２と、前記引張部材５２の側面突起５２ａと前記隔壁３８との間に位置し、空気圧によって膨張するときに引張部材５２を内側空洞３４ａにスライドさせて引張力を解除するチューブ５４と、前記引張部材５２の側面突起５２ｂと前記隔壁３８との間に位置し、空気圧が解除されるときに弾発力によって引張部材５２を外側空洞３４ｂへスライドさせて引張力を加える弾発部材５６とから構成されている。
【００１１】
このように構成された従来の印刷スクリーンフレーム固定装置は、別途の機構物や追加の付属品なしに多数の装着フレーム３０とコーナーピース４０によって方形枠体の形状に製作されたフレーム固定手段２０の一側端の注入口４８を介して空気を注入すると、オリフィスによる空気圧の供給速度調節によって昇降作動部６０と引張作動部５０が数秒の間隔を置いて順次作動しながら、印刷スクリーンユニット５の縁部を支えるように昇降させるとともに、印刷スクリーンユニット５の縁部に嵌合されて印刷スクリーン５ａを四方からぴんと引っ張るように引張力を加える。
【００１２】
つまり、外部からの別の空気供給手段からコーナーピース４０の胴体４２に高圧の空気が注入されると、この空気圧によって、チューブ５４は、図２の（ｂ）に示すように膨張しながら引張作動部５０を引張解除させる方向に作動することにより、印刷スクリーンユニット５を交換することができる。
【００１３】
そして、フレーム固定手段２０への空気圧の供給が中断すると、図２の（ａ）に示すように引張作動部５０のチューブ５４に対して空気圧が解除された状態であるため、圧縮されていた弾発部材５６が膨張しながらチューブ５４を圧縮するとともに、引張部材５２を装着フレーム３０の内側空洞３４ａから外側空洞３４ｂへと水平移動するようにスライドさせることにより、引張部材５２の結合突起５２ｃが印刷スクリーンユニット５の支持フレーム５ｂの係止段に係止されて互いに係合され、これにより、印刷スクリーン５ａは四方に引張力を受けてぴんと引っ張られる。
【００１４】
しかし、このように構成された従来の印刷スクリーンフレーム固定装置は、空気圧の供給によってチューブ５４が膨張するときに引張部材５２の結合突起５２ｃが印刷スクリーンユニット５の支持フレーム５ｂに対して係止力が解除され、空気圧の中断によって弾発部材５６が膨張してチューブ５４が収縮するときに引張部材５２の結合突起５２ｃが印刷スクリーンユニット５の支持フレーム５ｂに係止されて印刷スクリーン５ａを引張させる構造で構成されているので、チューブ５４を長期間使用する場合、異物及び摩擦により酸化または破裂することにより、随時チューブ５４の交換作業が不可避であり、また、チューブ５４と弾発部材５６の膨張力が限られているだけでなく、引張部材５２の内部で移動距離が制限されているので、長期使用時に伸びてしまう印刷スクリーン５ａの引張値の変化に合わせて適正の引張力に再調整することが不可能であるという問題点があった。
【発明の概要】
【発明が解決しようとする課題】
【００１５】
本発明は、かかる従来の諸般問題点に鑑みてなされたもので、その目的は、異物や摩擦による変形及び破損が生じることなく半永久的に使用することができるとともに、長期使用時に伸びてしまう印刷スクリーンの引張値の変化に合わせて引張力を再調整することができる印刷スクリーンフレーム固定装置を提供することにある。
【課題を解決するための手段】
【００１６】
上記の技術的課題を解決するための本発明の実施形態に係る印刷スクリーンフレーム固定装置は、引張作動部を備えた多数の装着フレームと多数のコーナーピースを用いて方形枠体の形状に製作されたフレーム固定手段によって印刷スクリーンユニットが交換または引張されるように構成された印刷スクリーンフレーム固定装置において、前記引張作動部は、前記装着フレームの空洞の内側側面と一定の距離を置いて結合されるように長さ方向に沿って一定間隔の隔壁を挟んで多数の円筒ホールが形成されたシリンダチューブブロックと、前記多数の円筒ホールにそれぞれ緊密に挿入されて水平移動するようにヘッド部とロッド部からなる多数のピストンロッドと、前記多数の円筒ホールの外側端にそれぞれ螺合され、前記ロッド部が緊密に貫通して水平移動するように貫通ホールが形成された多数のロッドカバーと、前記多数の円筒ホールの内部でヘッド部とロッドカバーとの間にそれぞれ挟まれて円筒ホールの内側に向かって弾発力を加える多数の弾発スプリングと、前記空洞に長さ方向に沿って長く挿入されて前記ロッド部の外側端に同時に結合され、下面に形成された結合突起が空洞の下部側の作動案内ホールを介して突出して前記印刷スクリーンユニットの支持フレームに対して結合または分離されるように水平方向にスライドされる多数の引張部材とから構成されたことを特徴とする。
【００１７】
他の実施形態として、本発明の空洞の底面には、前記作動案内ホールから外側端に行くほど高さが低くなる傾斜面が形成され、前記多数の引張部材の下面の端部には、引張部材が２次加圧によって移動した後、前記空洞側の傾斜面と対応するように係合されて停止するように結合突起から外側端に行くほど高さが低くなる傾斜面が形成されたことを特徴とする。
【００１８】
別の実施形態として、本発明のシリンダチューブブロックは、その内側側面から水平に一定の深さまで形成され、長さ方向に沿って一定間隔の隔壁を挟んで設けられた前記多数の円筒ホールと、前記隔壁の内側端にそれぞれ形成され、前記コーナーピースの第１空気注入口を介して供給される空気が前記多数のピストンロッドのヘッド部を解除方向に同時に押して後進するように通路を連結する空気加圧解除ホールと、前記隔壁間の中間にそれぞれ形成され、前記コーナーピースの第２空気注入口を介して供給される空気が前記多数のピストンロッドのヘッド部を加圧方向に同時に押して前進するように通路を連結する空気加圧ホールと、を含むことを特徴とする。
【００１９】
別の実施形態として、本発明の空気加圧解除ホールと空気加圧ホールは、前記隔壁から一定距離を維持しながら同じ高さ及び幅でそれぞれ形成されたことを特徴とする。
【００２０】
別の実施形態として、本発明の空気加圧解除ホールは、前記ピストンロッドのヘッド部を境界に区画された円筒ホールの内側空間に空気を供給しながら、前記空気加圧ホールを通る空気と混合されないように構成されたことを特徴とする。
【００２１】
別の実施形態として、本発明の空気加圧ホールは、前記ピストンロッドのヘッド部を境界に区画された円筒ホールの外側空間に空気を供給しながら、前記空気加圧解除ホールを通る空気と混合されないように構成されたことを特徴とする。
【００２２】
別の実施形態として、本発明のロッド部の端部から一定距離の外周面には、ピストンロッドが解除方向に移動するときにロッドカバーに係止されて前記弾発スプリングが適正の圧力以上に圧縮されないように制御する停止突起が形成されたことを特徴とする。
【００２３】
別の実施形態として、本発明の空洞の天井内側コーナーと底面外側コーナーには、引張作動部が空洞を介して長さ方向に沿って長く挿入されるときに係止されて位置固定されるように係止溝がそれぞれ形成され、前記シリンダチューブブロックの内側側面の上端コーナーと外側側面の下端には、前記空洞１３２側の係止溝に対応するように係止されてシリンダチューブブロックが位置固定されるように係止突起がそれぞれ突出したことを特徴とする。
【発明の効果】
【００２４】
本発明の印刷スクリーンフレーム固定装置は、空気圧の供給によってピストンロッドが行進するときに引張部材の結合突起が印刷スクリーンユニットの支持フレームに対して引張力が解除されて印刷スクリーンユニットを交換することができ、空気圧の中断によって弾発スプリングが膨張してピストンロッドが前進するときに引張部材の結合突起が印刷スクリーンユニットの支持フレームに係止されて印刷スクリーンを引張させるように弾発力によって加圧した後、必要に応じて空気圧を用いて逆加圧することができる構造であるため、異物及び摩擦に起因する変形及び破損が生じることなく半永久的に使用することができるとともに、長期使用時に伸びてしまう印刷スクリーンの引張値の変化に合わせて足りない引張力を再調整することができるという効果がある。
【図面の簡単な説明】
【００２５】
【図１】従来による印刷スクリーンフレーム固定装置に印刷スクリーンが装着された状態を示す結合斜視図である。
【図２】図１のＡ−Ａ線に沿った引張作動部を示す縦断面図である。
【図３】本発明に係る印刷スクリーンフレーム固定装置に印刷スクリーンが装着された状態を示す底面図である。
【図４ａ】図３のＢ部分を拡大して示す断面図である。
【図４ｂ】図３のＢ部分を拡大して示す断面図である。
【図５ａ】本発明に係るシリンダチューブブロックがコーナーピースによって連結された状態を示す底面及び平面斜視図である。
【図５ｂ】本発明に係るシリンダチューブブロックがコーナーピースによって連結された状態を示す底面及び平面斜視図である。
【図６】本発明に係るピストンロッド、弾発スプリング、ロッドカバーを示す分解斜視図である。
【図７ａ】図３のＣ−Ｃ線に沿った引張作動部を示す縦断面図である。
【図７ｂ】図３のＣ−Ｃ線に沿った引張作動部を示す縦断面図である。
【図７ｃ】図３のＣ−Ｃ線に沿った引張作動部を示す縦断面図である。
【図７ｄ】図３のＣ−Ｃ線に沿った引張作動部を示す縦断面図である。
【図８】本発明に係る印刷スクリーンの中央にのせられた引張測定器に表示された適正の引張力によって空気注入量を調整する過程を説明するための使用状態図である。
【発明を実施するための形態】
【００２６】
以下、添付の図３乃至図８を参照して本発明の実施形態について詳細に説明する。
【００２７】
本発明について、従来の構成と同じ構成に対しては同一の名称及び同一の符号を付し、重複説明は省略する。
【００２８】
本発明の印刷スクリーンフレーム固定装置は、図３に示すように、多数の装着フレーム１３０と多数のコーナーピース１４０を用いて方形枠体の形状に製作されたフレーム固定手段１２０によって印刷スクリーンユニット５が交換または引張されるように構成されている。
【００２９】
つまり、前記多数の装着フレーム１３０は、押出成形によって一定の長さに形成されたアルミニウム材質であって、その内部天井の内側コーナーに前記コーナーピース１４０と装着フレーム１３０とが連結されるときに空気圧供給ホール１３１がそれぞれ長さ方向に沿って長く貫通形成され、前記空気圧供給ホール１３１が形成された部分を除いた残りの断面に空洞１３２が長さ方向に沿って長く貫通形成されている。
【００３０】
この時、前記空洞１３２は、上下高さよりは左右幅が大きい矩形の形状に形成されたものであって、その底面の中央には、前記装着フレーム１３０の長さ方向に沿って長く作動案内ホール１３３が形成され、その天井の内側コーナーと底面の外側コーナーには、引張作動部１５０が前記空洞１３２を介して長さ方向に沿って長く挿入されるときに係止されて位置固定されるように係止溝１３４、１３５がそれぞれ形成され、前記作動案内ホール１３３を挟んで外側に延びた前記空洞１３２の底面には、作動案内ホール１３３から外側端へ行くほど高さが低くなる傾斜面１３６が形成されている。
【００３１】
前記引張作動部１５０は、前記空洞１３２の外側側面と天井及び底面に密着するように長さ方向に沿って長く挿入されて複数の係止段によって固定され、空洞１３２の内側側面と一定距離を置いて離れるように多数の円筒ホール１５１ａが形成されたシリンダチューブブロック１５１と、前記多数の円筒ホール１５１ａにそれぞれ緊密に挿入されて水平移動するようにヘッド部１５２ａとロッド部１５２ｂからなる多数のピストンロッド１５２と、前記多数の円筒ホール１５１ａの外側端にＯリング１５９を介してそれぞれ螺合され、前記ロッド部１５２ｂが緊密に貫通して水平移動するように貫通ホール１５３ａが形成された多数のロッドカバー１５３と、前記多数の円筒ホール１５１ａの内部でヘッド部１５２ａとロッドカバー１５３との間にそれぞれ挟まれて円筒ホール１５１ａの内側に向かってピストンロッド１５２に弾発力を加える多数の弾発スプリング１５４と、前記空洞１３２に長さ方向に沿って長く挿入されて前記多数のピストンロッド１５２のロッド部１５２ｂの外側端と多数の締結ねじ１５８を介して同時に結合されながら、その下面の結合突起１５５ａが前記作動案内ホール１３３を介して突出して前記印刷スクリーンユニット５の支持フレーム５ｂに対して結合または分離されるように水平方向にスライドされる多数の引張部材１５５とから構成されている。
【００３２】
この時、前記シリンダチューブブロック１５１は、上下高さよりは左右幅が大きい矩形の形状をなすように押出成形によって一定の長さに形成されたアルミニウム材質であって、その内側側面から水平に一定の深さまで形成され、長さ方向に沿って一定間隔の隔壁１５１ｂを挟んで設けられた多数の円筒ホール１５１ａと、前記隔壁１５１ｂの内側端に同じ高さ及び幅でそれぞれ形成され、前記コーナーピース１４０の第１空気注入口１４２を介して供給される空気が前記多数のピストンロッド１５２のヘッド部１５２ａを解除方向に同時に押して後進するように通路を連結する空気加圧解除ホール１５１ｃと、前記隔壁１５１ｂ間の中間に同じ高さ及び幅でそれぞれ形成され、前記コーナーピース１４０の第２空気注入口１４４を介して供給される空気が前記多数のピストンロッド１５２のヘッド部１５２ａを加圧方向に同時に押して前進するように通路を連結する空気加圧ホール１５１ｄと、その内側側面の上端コーナーと外側側面の下端にそれぞれ突出し、前記空洞１３２側の天井内側コーナーと底面外側コーナーに形成された係止溝１３４、１３５と対応するように係止されてシリンダチューブブロック１５１が位置固定される係止突起１５１ｅ、１５１ｆとから構成されている。
【００３３】
前記多数のピストンロッド１５２側のヘッド部１５２ａの外周面には、前記シリンダチューブブロック１５１側の円筒ホール１５１ａの内周面とヘッド部１５２ａとの間の隙間を密封するＯリング１５６が結合され、前記ロッド部１５２ｂの端部から一定距離離れている外周面には、前記ロッドカバー１５３の内周面とロッド部１５２ｂとの間の隙間を密封するＯリング１５７が結合され、前記ロッド部１５２ｂの端部から一定距離にある外周面には、ピストンロッド１５２が解除方向に移動するときにロッドカバー１５３に係止されて前記弾発スプリング１５４が適正の圧力以上に圧縮されないように制御する停止突起１５２ｃが形成されている。
【００３４】
前記多数の引張部材１５５は、下部の中央に結合突起１５５ａが突出した［Ｌ］字状をなすように押出成形によって一定の長さに形成されたアルミニウム材質であって、その下面の端部には、引張部材１５５が２次加圧によって移動した後、前記空洞１３２の底部に形成された傾斜面１３６と対応するように係合されて停止するように結合突起１５５ａから外側端に行くほど高さが低くなる傾斜面１５５ｂが形成されている。
【００３５】
次に、このように構成された本発明の印刷スクリーンフレーム固定装置の作用及び効果を説明する。
【００３６】
本発明の印刷スクリーンフレーム固定装置は、引張作動部１５０を内部に備えた多数の装着フレーム１３０とコーナーピース１４０によって方形枠体の形状に製作されたフレーム固定手段１２０において、コーナーピース１４０の一側に形成された第１空気注入口１４２を介して図４ａに矢印Ｄで表示した方向のように空気を注入した後、数秒後に空気を排出させると、オリフィスによる空気圧の供給速度調節によってコーナーピース１４０側の昇降作動部（図示せず）が従来の構成と同様に先に作動しながら印刷スクリーンユニット５の支持フレーム５ｂの縁部を支えるように昇降させるとともに、引張作動部１５０と印刷スクリーンユニット５の支持フレーム５ｂが嵌合されるように一致させ、次いで数秒間隔を置いて、本発明で構成された引張作動部１５０が供給された空気圧によって後進してから空気供給が解除されるときに弾発力によって前進しながら、印刷スクリーンユニット５の縁部に嵌合された印刷スクリーンユニット５の支持フレーム５ｂを四方に引くことにより、印刷スクリーン５ａがぴんと引っ張られた状態を維持するように引張力を加える。
【００３７】
つまり、引張作動部１５０側のシリンダチューブブロック１５１の多数の円筒ホール１５１ａにそれぞれ形成された空気加圧解除ホール１５１ｃを介して空気が供給されると、この空気圧は、図７ｄのように位置したピストンロッド１５２が後進するように押すことにより、ピストンロッド１５２のロッド部１５２ｂの端部に締結ねじ１５８を介して結合された引張部材１５５を同時に後進させ、この引張部材１５５の下面に突設された結合突起１５５ａは、図７ｃのように数秒前に先に作動するコーナーピース１４０側の昇降作動部（図示せず）の上昇作動によって待機していた印刷スクリーンユニット５の支持フレーム５ｂに嵌合される。
【００３８】
このような状態で、図４ａにおける矢印Ｄで表示した方向に供給された空気圧の供給が中断すると、図７ｂのようにシリンダチューブブロック１５１の円筒ホール１５１ａ内の空気圧が解除された状態になるため、圧縮されていた弾発スプリング１５４が膨張しながらピストンロッド１５２を前進させるとともに、ロッド部１５２ｂの端部に結合された引張部材１５５を外側に同時に前進させることにより、引張部材１５５の結合突起１５５ａに嵌合された印刷スクリーンユニット５の支持フレーム５ｂを四方に引くことにより、印刷スクリーン５ａがぴんと引っ張られた状態を維持するように引張力を加える。
【００３９】
このとき、弾発スプリング１５４は、決められた弾発力のみで作動するため、長期使用時に伸びてしまう印刷スクリーン５ａの引張値の変化に合わせて引張力をさらに高めることはできないが、ピストンロッド１５２のヘッド部１５２ａとロッドカバー１５３の間側にあるシリンダチューブブロック１５１の円筒ホール１５１ａの中間部位に空気圧を供給すると、ピストンロッド１５２がさらに前進しながら引張部材１５５を移動させることができる。
【００４０】
つまり、長期使用時に伸びてしまう印刷スクリーン５ａの引張値の変化に合わせて引張力を高めるように再調整する場合には、まず、図８に示すように、印刷スクリーン５ａの中央にのせられた引張測定器Ｆのデータ値を確認しながら、図４ｂに示した矢印Ｅ方向のようにコーナーピース１４０の第２空気注入口１４４を介して空気を注入すると、この空気圧は、シリンダチューブブロック１５１の多数の円筒ホール１５１ａを連結する隔壁１５１ｂの中央にそれぞれ形成された空気加圧ホール１５１ｄを介してピストンロッド１５２のヘッド部１５２ａとロッドカバー１５３の間側にある円筒ホール１５１ａの中間部位に供給されることにより、ピストンロッド１５２を図７ａのようにさらに前進させるとともに引張部材１５５を前進させ、これにより、引張部材１５５の結合突起１５５ａに嵌合された印刷スクリーンユニット５の支持フレーム５ｂがさらに前進しながら、支持フレーム５ｂに支持された印刷スクリーン５ａを四方に引張されるように空気圧によって逆加圧することができる。
【００４１】
このとき、空気圧による逆加圧の際に、図７ａのようにピストンロッド１５２がさらに前進するときにロッド部１５２ｂの端部に締結ねじ１５８を介して結合された引張部材１５５の垂直端が前進しようとする力と、引張部材１５５の水平端側の結合突起１５５ａが印刷スクリーンユニット５の支持フレーム５ｂに嵌合されて上部に引かれていかないようとする力とが衝突して所定の角度αでずれるようになり、このように引張部材１５５がずれた状態は、第２空気注入口１４４に供給された空気圧を解除しても、空洞１３２の底面に形成された傾斜面１３６と引張部材１５５の下面の端部に形成された傾斜面１５５ｂとの強い摩擦力で支えられるので、印刷スクリーン５ａに加わる逆加圧力が解除されなくなる。
【００４２】
もちろん、空気圧による逆加圧力は、図７ｃのようにピストンロッド１５２を引張解除することができるように、第１空気注入口１４２を介して円筒ホール１５１ａの内側の空気加圧解除ホール１５１ｃに供給される空気圧によって、ピストンロッド１５２のロッド部１５２ｂの端部に結合された引張部材１５５が後進しながら、ずれた角度と傾斜面１３６、１５５ｂ間の係合による摩擦力が解除されることにより、印刷スクリーンユニット５を交換することが可能な初期状態に戻ることができる。
【００４３】
したがって、本発明の印刷スクリーンフレーム固定装置は、空気圧の供給によってピストンロッド１５２が後進するときに引張部材１５５の結合突起１５５ａが印刷スクリーンユニット５の支持フレーム５ｂに対して引張力が解除されることにより、印刷スクリーンユニット５を交換することができ、空気圧の中断によって弾発スプリング１５４が膨張してピストンロッド１５２が前進するときに引張部材１５５の結合突起１５５ａが印刷スクリーンユニット５の支持フレーム５ｂに係止されて印刷スクリーン５ａを引張させるように弾発力によって加圧した後、必要に応じて空気圧を用いて逆加圧することができる構造であるため、異物及び摩擦に起因する変形及び破損が生じることなく半永久的に使用することができることともに、長期使用時に伸びてしまう印刷スクリーン５ａの引張値の変化に合わせて足りない引張力を再調整することができるという利点がある。
【００４４】
特に、フレーム固定手段１２０を構成する装着フレーム１３０と引張作動部１５０は、印刷スクリーン５ａが長期使用時に伸びるか或いは印刷スクリーン５ａの厚さが薄くなるようにさらに薄膜化する傾向に合わせて、所望の引張力に調整及び再調整することができるので、一定の品質を維持することができるだけでなく、印刷スクリーン５ａの寿命を延長することができるという利点がある。
【００４５】
特に、本発明は、上述した実施形態に限定されるものではなく、本発明の要旨を逸脱することなく修正及び変形実施することができ、それらの修正及び変形が加えられた技術思想も以下の特許請求の範囲に属すると理解すべきである。
【符号の説明】
【００４６】
５          印刷スクリーンユニット
５ａ        印刷スクリーン
５ｂ        支持フレーム
１２０      フレーム固定手段
１３０      装着フレーム
１３１      空気圧供給ホール
１３２      空洞
１３３      作動案内ホール
１３４、１３５    係止溝
１３６      傾斜面
１４０      コーナーピース
１４２      第１空気注入口
１４４      第２空気注入口
１５０      引張作動部
１５１      シリンダチューブブロック
１５１ａ    円筒ホール
１５１ｂ    隔壁
１５１ｃ    空気加圧解除ホール
１５１ｄ    空気加圧ホール
１５１ｅ、１５１ｆ    係止突起
１５２      ピストンロッド
１５２ａ    ヘッド部
１５２ｂ    ロッド部
１５２ｃ    停止突起
１５３      ロッドカバー
１５３ａ    貫通ホール
１５４      弾発スプリング
１５５      引張部材
１５５ａ    結合突起
１５５ｂ    傾斜面
１５６、１５７    Ｏリング
１５８      締結ねじ
１５９      Ｏリング
【図１】
2021504186.tif 000003
【図２】
2021504186.tif 000004
【図３】
2021504186.tif 000005
【図４ａ】
2021504186.tif 000006
【図４ｂ】
2021504186.tif 000007
【図５ａ】
2021504186.tif 000008
【図５ｂ】
2021504186.tif 000009
【図６】
2021504186.tif 000010
【図７ａ】
2021504186.tif 000011
【図７ｂ】
2021504186.tif 000012
【図７ｃ】
2021504186.tif 000013
【図７ｄ】
2021504186.tif 000014
【図８】
2021504186.tif 000015
【国際調査報告】
2021504186.tif 000016
2021504186.tif 000017
2021504186.tif 000018
2021504186.tif 000019